(57)【要約】【課題】  頭痛、肩こり、腰痛、関節痛、筋肉痛などの症状を解消することができ、しかも使いやすく、リサイクル性がよいシート型治療具を提供する。【解決手段】  鉱石粉末をプラスチック製のシート袋に収容したシート型治療具であって、鉱石粉体が常温静止状態においてもマイナスイオンおよび低レベル放射線を発生する平均粒径０．１〜５μｍの微粉末であり、その収容量がシートの底面積１ｃｍ２当たり１ｇ以下であることを特徴とするシート型治療具によって提供する。【選択図】  なし【特許請求の範囲】
【請求項１】
鉱石粉末をプラスチック製のシート袋に収容したシート型治療具であって、
鉱石粉体が常温静止状態においてもマイナスイオンおよび低レベル放射線を発生する平均粒径０．１〜５μｍの微粉末であり、その収容量がシートの底面積１ｃｍ２当たり１ｇ以下であることを特徴とするシート型治療具。
【請求項２】
シート袋の底面積が、５〜５００ｃｍ２であることを特徴とする請求項１に記載のシート型治療具。
【発明の詳細な説明】
【技術分野】
【０００１】  本発明は、シート型治療具に関し、さらに詳しくは、肩こりや腰痛、関節痛といった筋肉痛などの症状を解消することができ、しかも使いやすく、リサイクル性がよいシート型治療具に関する。
【背景技術】
【０００２】  一般に肩こり、腰痛、筋肉痛等の症状に対しては、筋肉内の血行をよくし、筋肉の緊張・筋肉の硬化・筋肉組織内の血管の圧迫・血行不良、疲労物質の蓄積というコリの悪循環を断ち切ることが必要であるとされ、硬くなった筋肉をほぐす働きをするものとして、磁気の曝磁による磁気治療器が広く知られている。【０００３】  その代表例として、直径約２０ｍｍの接着基材の貼着面の中央部に、５０〜２００ミリテスラの磁場の強さを有し、かつ直径約５ｍｍ、厚さ約２．５ｍｍの円板状のフェライト磁石からなる磁気盤を接着するとともに、前記接着基材の貼着面に剥離紙を貼着した磁気治療器が広く知られ、この業界の主流を占めている。【０００４】  ところが、従来の磁気盤は、直径が約５ｍｍ程度で人体への曝磁面積が狭小であるため、集中的な人体への曝磁は可能なものの、広範囲の曝磁のためには多数の磁気治療器の貼付を必要とした。さらに、直径約５ｍｍ、厚さ約２．５ｍｍの磁気盤では、人体への押圧効果はあるものの、人によっては痛みを伴うという問題が生じるばかりか、幼児等が誤って飲み込むという危険も生じていた。【０００５】  このようなことから、磁気盤の代わりに、粘着性シ−ト基材の接着面にＳ極とＮ極とを交互に着磁した磁性体シ−トを用いた救急絆創膏の型式をした磁気治療器が提案されている（特許文献１参照）。【０００６】  しかしながら、粘着性シートを肌に接着するので、粘着性樹脂成分により肌が荒れやすく、かぶれやすい体質であると長時間使いにくく、また、繰り返し場所を変えると粘着性が低下し使用できなくなる問題があった。また、プラスイオンの増加による、頭痛肩こり、筋肉痛、不眠といった不快な症状（人体への変調）に対しては、十分な効果が得られなかった。【０００７】  近年の医学的研究によると、パソコンなどのＯＡ機器に囲まれた事務室、タバコの煙が立ち込める場所、新築あるいはリフォームした室内、さらには交通渋滞しがちな道路に面した場所では、プラスイオン（プラスの電気を帯びた非常に微細な微粒子）が増加し、マイナスイオン（マイナスの電気を帯びた非常に微細な微粒子）が不足した状態にあるため、めまい、頭痛、鼻詰まり、肩こり、腰痛、関節痛、吐き気、不眠といった不快な症状を招くとされている。【０００８】  上記新築あるいはリフォームした室内では、建材に使われる接着剤からホルマリン、トルエンやキシレンなどの有機溶剤が揮発するため、換気が不十分な場合、涙が出たり咳やくしゃみが止まらないといった症状に始まり、重症になると皮膚が荒れたり神経面でも障害が発生する。これは、シックハウス症候群といわれ、近年その対策が叫ばれている。【０００９】  一方、交通渋滞しがちな道路に面した場所では、さらに深刻で、自動車が撒き散らす排気ガスなどによって、肺がん、気管支ぜんそく、アレルギー病など極めて深刻な病気を招くことになると警告されている。【００１０】  そのため、このような環境問題への取り組みが多方面から行われるようになり、近年になってトルマリンに代表される鉱石が注目され、日用品雑貨の材料、新築住宅の壁紙などの建材や治療具への応用がなされはじめている。【００１１】  その一例として、特定の半減期、特定範囲内の壊変速���に相当する放射能を有する固体放射線源を固形材料で被覆した治療具が提案されている（特許文献２参照）。これは、固形材料により濾過された放射線により、乾癬、アトピー性皮膚炎、関節リウマチ及び／又はガンを治療又は進行防止することを目的としている。【００１２】  このような治療具によれば、乾癬、アトピー性皮膚炎、関節リウマチ及び／又はガンに一定の治療効果が期待できるが、マイナスイオンの効果には言及しておらず日常生活の中で手軽に使えるものではなかった。【００１３】  このような状況にあって、前記のような人体への不快な症状を解消でき、しかも使いやすく、リサイクル性がよいマイナスイオン発生治療具の出現が切望されていた。
【特許文献１】特開平１１−２９０４６５号公報
【特許文献２】特公表２００２−３９７７１号公報（ＷＯ９９／３９７７１）
【発明の開示】
【発明が解決しようとする課題】
【００１４】  本発明の目的は、前述した従来技術の問題点に鑑み、肩こりや腰痛、関節痛などの筋肉痛といった症状を解消することができ、しかも使いやすく、リサイクル性がよいマイナスイオン発生治療具を提供することにある。
【課題を解決するための手段】
【００１５】  本発明者は、上記問題点を解決するために鋭意研究を重ね、マイナスイオンおよび低レベル放射線を発生する鉱石粉体を、特定の大きさのプラスチック製のシート袋（以下、単にシートともいう）内に特定量収納して、頭痛、腰痛、肩こり、筋肉痛といった症状が生じたとき、額、首、肩、手足、腕、腰などの肌に当てることで、これらの症状を効果的に解消でき、しかも何回も場所を変えて使うことができることを確認して、本発明を完成した。【００１６】  すなわち、本発明の第１の発明によれば、鉱石粉末をプラスチック製のシート袋に収容したシート型治療具であって、鉱石粉体が常温静止状態においてもマイナスイオンおよび低レベル放射線を発生する平均粒径０．１〜５μｍの微粉末であり、その収容量がシートの底面積１ｃｍ２当たり１ｇ以下であることを特徴とするシート型治療具が提供される。【００１７】  一方、本発明の第２の発明によれば、第１の発明において、シート袋の底面積が、５〜５００ｃｍ２であることを特徴とするシート型治療具が提供される。
【発明の効果】
【００１８】  本発明は、常温静止状態でもマイナスイオンおよび低レベル放射線を発生する微細な鉱石粉体をプラスチック製のシート内に収容した治療具であり、使い勝手が良く、人体内の血流を促進させ、肩こり、腰痛、関節痛、筋肉痛などを治療し、解消することができる。
また、このシート型治療具を用いることで、疲労回復と安眠、病中病後の食欲の増進、体力の回復、消炎作用、抹消血管拡張作用、鎮痛作用（頭痛・神経痛・五十肩）、抗リウマチ作用、抹消神経に対する作用、血圧調整効果、美容効果（肌の艶と血色）に対して特に大きな効果を期待できる。
【発明を実施するための最良の形態】
【００１９】  以下に、本発明のシート型治療具、その使用法などを図面に基づいて詳細に説明する。【００２０】  図１は、微細な鉱石粉体（３）を、プラスチック製のシート袋（２）内に収容した本発明のシート型治療具（１）を示しており、図２は、その縦断面を示している。【００２１】１．シート袋
本発明において、シート袋は、微細な鉱石粉体を収容する治療具の容器でありながら、その平坦な底面によって肌に定着させる機能をもつものである。【００２１】  マイナスイオンは、皮膚を通じて、あるいは呼吸によって人体に取り入られるが、マイナスイオンの吸収率は、皮膚から約８５％吸収され、呼吸による吸収率（約１５％）に比べて数倍高いとされている。したがって、治療具を皮膚に直接貼り付けるか直近の場所に置かなければ、効率的にマイナスイオンが人体内の血流を促進させ、気分を清々しくさせることは期待できない。【００２２】  このために、シート袋の材料としては、柔軟で肌に貼り付きやすい性質を持つ各種プラスチックが採用される。プラスチックとしては、例えば、ポリエチレン、ポリプロピレン、ポリブチレン、ポリイソブチレンなどのポリオレフィン；塩化ビニル樹脂；アクリル樹脂；ＰＥＴ（ポリエチレンテレフタレート）などのポリエステル樹脂；シリコーン樹脂；ナイロン（ポリアミド樹脂）などが挙げられる。ポリエチレンには、低密度ポリエチレン、高密度ポリエチレン、Ｌ−ＬＤＰＥ（線状低密度ポリエチレン）などがある。【００２３】  シート（２）の材質は、鉱石微粉末から放出されるマイナスイオンや低レベル放射線の効果を阻害しないものが望ましい。上記のほかに、本発明の目的を阻害しない範囲で、ウレタン樹脂、エポキシ樹脂系の材料を併用することができる。これらは、静電気への帯電性の程度によって制限されるものではない。【００２４】  シート袋は、樹脂発泡シート、フラッシュ紡糸法などで得られた不織布、微孔性フィルムなどの透湿防水性のあるシートからなる袋状包装体であってもよいが、切断、磨耗又は裂孔により破損しないように、強化プラスチックや積層シートを使用することも可能である。強化プラスチックとは、プラスチックの中に充填剤として、微細なガラス粉、粘土、カーボン粉などを混入したものである。充填剤を用いるのであれば、無色・透明なガラス粉が好ましい。【００２５】  積層シートであれば、上下一側又は両側の外側面にプラスチックコート層やシリカ薄膜やアルミなどの金属薄膜を形成するのが好ましい。この際、プラスチックコート層は、ポリエチレン、ポリプロピレン、ポリエステル、ポリアミド、ポリビニルアルコール、或いはこれらの共重合体を塗布してコーティングすることも、これら樹脂からなるプラスチックフィルムやポリスチレン等の樹脂発泡シート又はフィルムをラミネート又は重ねるようにして形成することもできる。【００２６】  このような積層シートを用いたシート袋として、ＰＥＴとＬ−ＬＤＰＥとをドライラミネートしてなる袋、シリカ薄膜やアルミなどの金属薄膜を蒸着したポリエステルフィルムからなる袋を挙げることができる。ただし、アルミなどの金属を蒸着すると袋の透明性が失われることになる。【００２７】  シート（外皮）の厚さは、特に限定されないが５〜８０μｍ、好ましくは１０〜５０μｍ、さらに好ましくは１５〜３０μｍとする。厚さが５μｍ未満では、強度が不足し、一方、８０μｍを越えると、マイナスイオンを吸収して効果が低下するだけでなく、硬くて柔軟性がなくなるので、肌から剥がれやすくなり好ましくない。【００２８】  また、シー���袋（２）の形状や寸法も特に限定されないが、シート袋の底面積が、５〜５００ｃｍ２、特に１０〜３００ｃｍ２であるものが好ましい。シートの底面積が、５ｃｍ２未満では、治療効率が悪く、５００ｃｍ２を超えると患部から剥がれ易くなり好ましくない。【００２９】  図１では、シート袋（２）が長方形であるものを例示したが、その形状は、四角形（正方形、長方形、ひし形）に限定されず、三角形、五角形、六角形、円形（楕円含む）など、いかなる形状であってもよい。
通常は、四角形のものが使いやすく、一辺が２〜２５ｃｍの正方形のもの、縦横の長さが１〜５０ｃｍ程度の長方形のものが特に好適である。治療効率や取り扱い性を考慮すれば、縦横の長さが２〜１０ｃｍ程度の長方形のものが好ましい。【００３０】  シート袋の製造方法は、特に制限されず、各種のプラスチック成形法を採用することができる。例えば、ブロー成形であれば、筒状にプラスチックを形成し、一端を接合し、他端を開口しておく。この際の接合手段としては、縫合、接着、融着（ヒートシール）、その他の任意の手段で接合することができる。また、押出成形であれば、フィルム状に押し出したシートを所定形状に裁断し、このシート体を、例えば２枚重ね、一部或いは部分的に残してその周縁部を接合して、内部を袋状に形成することができる。【００３１】  シート袋は、人体に取り付けるために周囲の一部、例えば開口部の上部面積を広くとるとか、上下あるいは左右に帯状部分を形成することができる。帯状に形成する場合、適宜箇所に両面テープやベルベットファスナーなどの剥離可能な止着手段を付け、首、手、足などに簡単に巻き付けるように構成することもできる。ただし、サイズが小さいものなど用途によっては、シート端部に接合部の幅を１ｍｍ以下とすることが望ましい。【００３２】２．鉱石粉末
本発明において鉱石粉体は、トルマリンよりも多量のマイナスイオンを発生し、放射線量が低レベルで、人体への悪影響の少ない鉱石を原料とするものであれば特に限定されない。【００３３】  鉱石粉体は、シート表面からのマイナスイオンの発生量が３，０００個／ｃｍ３以上、好ましくは３，０００〜２０，０００個／ｃｍ３、さらに好ましくは５，０００〜１８，０００個／ｃｍ３になるように、鉱石粉体の種類を選択する必要がある。マイナスイオンの発生量が３，０００個／ｃｍ３未満でも、不快な症状を予防し緩和する効果が全く得られないわけではないが、症状を解消するには時間がかかる。なお、本発明において、マイナスイオンの発生量は、市販のイオン計測器で測定され、その検出表示が安定する２０秒後の数値を示すものとする。【００３４】  また、放射線量が、例えば、Ｔｈ系２２８  Ａｃで平均７０〜３５０ベクレル／ｇ、Ｕ系２１４  Ｂｉで平均３〜２０ベクレル／ｇの範囲にある鉱石粉末が好適である。合計で７０〜３７０ベクレル／ｇ、特に８０〜３５０ベクレル／ｇ、さらには９０〜３００ベクレル／ｇであるものが好適である。【００３５】  したがって、マイナスイオン発生鉱石としては、モナズ石、バストネス石、サマルスキー石、トリウム石、フェルグソン石、カルノー石、トロゴム石、ゼノタイム等の鉱石が挙げられる。
例えば、モナズ石やバストネス石は、常温静止状態においてもマイナスイオンを発生し、その発生量がトルマリンよりも格段に多く、有害物質や雑菌などが付着しても、マイナスイオンの発生量が低減しにくいことから、本発明にとって最も好ましい鉱石である。【００３６】  一説によると３００種類ものモナズ石が存在するといわれ、モナズ石の組成成分は、産出される場所等によって組成成分が大幅に変動するものの、一般的には、ＣｅＯ２（２０〜３５重量％）、Ｐ２Ｏ５（１５〜２５重量％）、Ｌａ２Ｏ３（１０〜１５重量％）、Ｎｄ２Ｏ３（５〜１３重量％）、ＴｈＯ２（３〜９重量％）、Ａｌ２Ｏ３（２〜５重量％）、Ｇｄ２Ｏ３（２〜５重量％）、ＳｉＯ２（２〜５重量％）が主成分を占めている。【００３７】  モナズ石は、このほかに、それぞれ１重量％程度のＦｅ２Ｏ３、ＭｇＯ、Ｎａ２Ｏ、Ｔｉ２Ｏ３、Ｂ２Ｏ３、ＣａＯ、Ｋ２Ｏ３、Ｌｉ２Ｏ、Ｙ２Ｏ３、Ｆ、ＺｒＯ２を含み、さらに微少成分として、それぞれ１重量％未満のＭｎＯ、ＰｂＯ、ＺｎＯ、Ｄｙ２Ｏ３、ＳｎＯ２、Ｕ３Ｏ８などを含有している。これら成分のうち希土類元素（放射性稀有元素）は、いずれもウラン系もしくはトリウム系の半減期の長いものである。【００３８】  また、バストネス石は、主にアメリカ合衆国、中国等のカーボナイト鉱床から、チタン、錫、ウラン、トリウム等を採掘した際の副産物として得られるものであり、ＣｅＯ２（２０〜５５重量％）、Ｌａ２Ｏ３（２０〜４０重量％）、Ｆｅ２Ｏ３（８〜１５重量％）などを主成分としている。【００３９】  なお、本発明においては、上記のようなマイナスイオン（放射線）発生鉱石粉体を主成分とすればよく、他の鉱石などを含有する必要はないが、マイナスイオン（放射線）発生量を調整し、あるいは接着剤への分散性、安定性などを制御するためなど、必要であれば、サンゴを微粉砕した粉末などを少量混入しても良い。【００４０】  鉱石粉体は、微粉末になるほど表面積が大きくなり、加えてマイナスイオンや放射線の鉱石内吸収も少なくなる。例えば粉末の平均粒径が０．１〜５μｍ、特に０．１〜３μｍであることが好ましい。平均粒径が５μｍよりも大きいと、シート内への均一な厚さの収容が困難となり、一方、平均粒径が０．１μｍよりも小さいものは粉砕コストが大きくなるので、経済的ではない。【００４１】  また、鉱石粉末は、十分に乾燥しておれば、シート袋内で偏在することはないが、場合によっては粉末に表面処理を行うことも可能である。表面処理は、シリカ系、チタン系、アルミニウム系などの各種カップリング剤などを用いて行うことができる。【００４２】  シート袋内への鉱石粉体の収容量は、シートの底面積１ｃｍ２当たり１ｇ以下でなければならない。シートの底面積１ｃｍ２当たり１ｇを超えると、シートが厚くなり、肌から剥がれやすくなる。ただし、シートの底面積１ｃｍ２当たり０．０１ｇ以下ではマイナスイオン発生量が少なすぎて、治療効果を得ることが難しくなる。また、本発明において好ましい鉱石粉体の収容量は、シートの底面積１ｃｍ２当たり０．０１〜０．８ｇ、さらには０．０２〜０．５ｇである。【００４３】  この範囲の鉱石粉体を収容すると、シート袋全体の厚さは、底面積の大きさにもよるが、０．５〜１０ｍｍになる。シート袋全体の厚さは、特に１〜５ｍｍであることが好ましい。厚さがこの範囲を外れると上記と同じ理由で使いにくいものとなる。【００４４】４．治療具の製造
本発明のシート型治療具を製造するには、様々な方法があり、特に限定されるものではない。例えば、（イ）シート袋、鉱石粉末などを用意し、（ロ）この鉱石粉末をシート袋に収容し、（ハ）シート袋の開口部を封止して製造される。【００４５】  （イ）材料の用意
鉱石粉末、およびそれを収容する容器となるシート袋は、前記したものを用いればよい。鉱石粉末は、微粉末なので飛散しやすく取り扱いにくい場合がある。このような場合、水や有機溶剤（トルエンなど）を用いて湿り気を与えることもできる。鉱石粉末を各種のアニオン系、カチオン系、両性、非イオン系界面活性剤を用いて分散させておけばさらに効果的である。【００４６】  （ロ）鉱石粉末のシート袋への収容
鉱石粉末をシート袋へ収容するには、粉末が飛散しにくい環境下でシート袋の開口部を開け、所定量の鉱石粉末を注ぎ込む。鉱石粉末が、シート袋内で偏在しないように乾燥させること、逆に飛散性を抑えるために加湿することもできる。【００４７】  シート袋内への鉱石粉体の収容量は、前記のとおり、シートの底面積１ｃｍ２当たり１ｇ以下としなければならない。収容量が多すぎるとシートが厚くなり、肌から剥がれやすくなるので好ましくない。ただし、少なすぎてシートの底面積１ｃｍ２当たり０．０１ｇ以下になるとマイナスイオン（放射線）発生量が少なすぎて、治療効果を得ることが難しくなる。【００４８】  この際、鉱石粉末だけを単独で用いればよいが、サンゴの粉末や遠赤外線放射セラミックスを配合することもできる。さらには、着色のために顔料や分散性などを改善するために各種充填材を鉱石粉末に混合しても良いが、マイナスイオン（放射線）の発生量を低下させない程度の添加量に止めなければならない。
ワックスなどの被覆剤を用いることができないわけではないが、鉱石粉末が被覆されるとマイナスイオン（放射線）の発生量が低減するので注意が必要である。【００４９】  （ハ）シート袋の封止
最後に、鉱石微粉末を収容したシート袋の開口部を封止する。封止手段は、プラスチックの開口部を加熱して融着（ヒートシール）する方法、接着剤で接着する方法、糸で縫合する方法などがあるが、特に限定されない。ただし、接着剤で接着する方法では、強力接着剤を用意しなければならず、糸で縫合する方法では、粉末が微細なため、隙間から漏出する恐れがあるので、プラスチックの開口部を加熱して融着する方法が現実的である。【００５０】  前記プラスチックは熱可塑性であるため、その融点以上に加熱するとプラスチックが溶融して、粘着性（接着性）をもつようになる。融点は、ポリオレフィンであれば、通常、９０〜１８０℃の範囲にあるものが多い。袋内の空気を可能な限り排出してから、なるべく開口部に鉱石の微粉末が存在しないようにして、封止すれば本発明のシート型治療具が完成する。【００５１】  シート袋は、人体に取り付けるために周囲の全周、又はその一部（例えば開口部）の面積を広くとっている場合は、穴を開けて首、手、足などに簡単に巻き付けられるように紐やゴムなど止着手段を付けることもできる。紐の長さは、特に限定されないが、１０〜３０ｃｍ程度が適切であろう。【００５２】４．使用方法
本発明のシート型治療具は、肩、背中、腰、首、手足、腕、額など痛みや不快な症状がある患部に当接させて使用する。例えば、肩に直接載せ、靴下や腹巻の中にいれ、腕につけて紐で巻き、あるいは足の土踏まずに接触させるなどして使用する。【００５３】  治療を必要とする症状によって、必要とされるマイナスイオン発生量（放射線量）があるので、それに応じて鉱石粉末の量が最適なシート型治療具を選択する。すなわち、症状が重い場合には、マイナスイオン（放射線）の発生量が多いものを用いることが望ましい。例えば、マイナスイオンの発生量が５，０００個／ｃｍ３以上、例えば、６，０００〜１７，０００個／ｃｍ３のものを用いることが望ましい。放射線量は、Ｔｈ系２２８  Ａｃで平均９０〜３５０ベクレル／ｇ、Ｕ系２１４  Ｂｉで平均１０〜３０ベクレル／ｇの範囲にあるものが好適である。合計で１００〜３７０ベクレル／ｇのものが好ましい。【００５４】  また、底面積の大きなものを採用すれば、袋内に多量の鉱石粉末が収容されているため、広範囲にマイナスイオン（放射線）を作用でき治療効果も向上する。一方、底面積の小さいものを採用すれば、少量の鉱石粉末しか収容されていないが、肌と密着し剥がれにくくなる。【００５５】  本発明のシート型治療具を使用するにあたっては、治療具のシート底面を症状がある皮膚の表面、すなわちシ−トの底面を人体のツボ又は痛みを有する部位に置くことが望ましい。皮膚がシートで覆われることにより、マイナスイオンの効果を直接受けることができる。【００５６】  しかもシートは、柔軟なプラスチック製であるため、肌への定着力も大きく、たとえば肩に載せた場合では、その上からシャツを着るだけの自然な状態でも長時間（約６時間）連続して患部に接触させることが可能である。
それは、体内から発散される汗（水分）がシートにごく薄い層を形成して、あたかも接着のりの役割をするためと考えられる。多少体を動かしてもシートがずれることはないが、首、手足、腕であれば、治療具に紐（ゴム）を付設しておくことで、それを患部の周囲に巻いて脱落を防ぐことができる。背中や腹部であれば、紐を長くして、首から吊り下げてもよい。なお、リストバンドや腹巻のようなものを治療具のうえに着用すれば、紐を使わなくても同様な効果が得られる。【００５７】  長期間使用していると、シート表面に汗やほこりが付着して汚れてくる。袋が汚れてもマイナスイオン（放射線）による効果自体がさほど低減するわけではないが、皮膚へのダメージが懸念されるので、汚れを除去することが望ましい。汚れの原因物質が汗やほこりによる場合であれば、汚れた表面部分だけを軽くふき取れば、容易に清潔なものとなり、何回も繰り返して使用することが可能となる。【００５８】  シートをシャツ、ズボンのポケット、腹巻などの衣類の中に入れることもできるが、衣類が介在することで、その分だけマイナスイオン（放射線）の効果は低減することになる。シートは一箇所につき一枚だけ使用すればよい。治療具のシート底面を皮膚の表面に置く時間は、継続的又は断続的であってもよい。【００５９】  シートを肩こりなどの症状がある患部の皮膚に貼り付けることで、鉱石粉末から発生するマイナスイオン（放射線）による作用で、人体内の血流を促進させ、頭痛、肩こり、腰痛、関節痛、筋肉痛などを効果的に治療することができる。【００６０】  航空機の乗務員には腰痛もちが多いといわれる。また近年、航空機に長時間乗って体を動かさないでいると、座席の前後が狭いので血液の循環が悪くなり、血栓が生じて、しばしば死に到ること（エコノミー症候群）もあって、問題になっている。本発明のシート型治療具を靴、靴下の中に入れれば、このような症状を予防できる可能性がある。【００６１】  本発明のシート型治療具は、微細なマイナスイオン（放射線）発生鉱石粉末を薄いプラスチックシート袋に収容しているために、マイナスイオン（放射線）の皮膚への浸透作用が大きい。ただし、シートを使用してから効果が出るまでの時間は、症状の種類、シート内への鉱石粉末の種類や量などによっても異なるので、一概に言うことは出来ない。軽い肩こりであれば、３〜６時間のうちに、改善効果が出始める。腰痛でも、６〜１２時間のうちに、改善効果が出始めることが、モニターによる調査により確認されている。【００６２】  なお、前記した鉱石粉末を固体材料で被覆した治療具（特許文献２）は、一見すると本発明と類似している。しかし、このような治療具は、鉱石粉末の粒径が、例えば２００μｍ以上（３０〜７０メッシュ）と比較的大きく、しかも乾癬、皮膚病、ガンなどの治療を意図しているため、低レベルとはいえ比較的高い放射線量を発生する多量の鉱石粉末を用いることになり、日常生活を送りながら使用することは困難である。これに対して、本発明のシート型治療具は、皮膚に当接させた状態でも通常に生活することができ、無意識のうちにマイナスイオンと、より低レベルの放射線の作用により心がいやされ、前記の各種症状を解消することができる。���００６３】  本発明においては、透明なプラスチック製シートの袋体を用いているために、内部に収容した鉱石粉末の状態が容易に視認できる。特に、鉱石粉末の量が多いか少ないかはマイナスイオン（放射線）の発生量と密接な関係を有するので、症状にあわせてシートを選択するときに判断がしやすいという利点がある。【００６４】  この治療具は、それ単独で使用することもできるし、別途、シール印刷で作成された紙基材（マイナスイオン発生鉱石をインキに混入して紙に薄く印刷したもの）を併用することもできる。【００６５】  本発明の治療具は、人体に適用することを目的に開発されたものであるが、ペットの治療に対しても使用することができる。最近、ペットは運動不足で、ストレスがたまり様々な病気になりやすいといわれている。その症状は、人間の場合と類似していることが確認されているため、その使用方法も人体の場合と同様である。【００６６】  ただし、犬や猫では、体毛が多く、シート型治療具が直接患部と接触しない場合が多いので、効果を高めるために、シート袋を胴着の中に装入することが望ましい。必要によって、患部の体毛を一部除去することもありうる。なお、犬や猫などのペットに限らず、比較的小型のものであれば、牛、馬、豚などの家畜、その他の動物にも活用できることはいうまでもない。【００６７】６．日用品雑貨、健康用品としての使用
本発明のシート型治療具は、単独で用いることができることはもちろんのこと、各種の日用品雑貨、健康用品、それらの材料などとしても使用することができる。【００６８】  日用品雑貨としては、靴（靴底、中敷）、肩パッド、ふとんや枕（抱き枕）などの寝具、Ｔシャツなどの衣服、などにも好ましく使用できる。また、本発明の治療具を適用できる健康用品としては、ぬいぐるみ人形、お守り、アクセサリー（携帯ストラップ、ネックレス、ブレスレット）などを挙げることができる。【００６９】  これらの日用品雑貨、健康用品は、その外形の少なくとも一部が人体に接触するか、人体と非常に近い位置になる状態で使用される点で共通している。次に、健康用品の一例として、ぬいぐるみ人形に用いた場合を簡単に説明する。【００７０】  ぬいぐるみ人形は、まず、人形の外皮となる数枚の布（タオル、不織布、その他の布状物）を所定の大きさ、形状に裁断し、布同士を袋状に縫い合わせて、各部分の外皮となるようにして、作製される。次に、小袋状とされた部品を１個ないし複数個使用して、頭、胴体、手足、しっぽなどの各部分が形成される。そして、外皮となる袋の中に多量の充填材料（綿、布切れ、ガーゼ、スポンジ、ビーズ等の充填物）が充填され、縫い合わされて人形本体の各部分が出来上がる。最後に、人形本体の各部分が所定の場所に配置、結合されて、所望の形態をしたぬいぐるみ人形が完成する。【００７１】  充填物を袋（外形を構成する布）に装入する前に、袋の内側に本発明の治療具（シート袋）を装入すればよく、充填物を充填する際に一緒に装入してもよい。
装入箇所は、ぬいぐるみ本体（部分）を構成し、その形状を決定付ける袋（布）の内側が好ましいが、外側であってもよい。内側とは袋と充填物との間隙、布が二枚以上で構成されている場合は、その内部、あるいは充填物の内部である。シートは一枚だけ装入すればよいが、特に大きな効果を期待する箇所には二枚以上を重ねて装入することもできる。【００７２】  シート袋は、ぬいぐるみ人形の大きさ、装入する場所などによって、最適な大きさ（寸法）のものを選択する。装入する場所の面積が小さい場合や複雑な形状である場合は、小さなサイズのものを用いるほうがよい。【００７３】  これまでにトルマリン鉱石を混入した充填物収納袋を、外皮の袋に充填して製作されたぬいぐるみ人形が知られている。ところが、トルマリン鉱石は、常温静止状態ではマイナスイオンの発生量が少ないので、このように充填物やその収納袋で覆われると、ぬいぐるみ人形の外側では極めて少ないマイナスイオン量になってしまう。したがって、子供やお年寄り、妊娠中や授乳中の主婦などにはマイルドなので良いかもしれないが、前記肩こりや頭痛などの諸症状に悩む学生や若者を含むすべての者の体調維持に活用できるものとはならない。【００７４】  なお、本発明のシート型治療具を用いるとともに、その原料である鉱石粉末の粉末を外皮と充填物の間隙に充填することもできる。これにより、皺や弛みをなくし、流動性と変形の柔軟性を具備させ、人がぬいぐるみ人形に触れたり抱いたりしたときに違和感を与えないようにすることができる。
【実施例】
【００７５】  以下、本発明の治療具に関する実施例を説明するが、本発明はこれらの実施例に限定されるものではない。【００７６】（実施例１）
モナズ石の鉱石粉末Ａ（平均粒径０．３μｍ）を１ｇ計量し、プラスチック製シート袋（Ｌ−ＬＤＰＥとＰＥＴとをラミネートした袋）に装入し、内部に空気が実質的に残らないようにした後、開口部を熱融着して、密封し、本発明のシート型治療具を作製した。鉱石粉末は、袋全体にほぼ均一に分散した状態になった。なお、プラスチック製シート袋として、厚さ８μｍのＰＥＴとＬ−ＬＤＰＥとをラミネートした袋（縦５ｃｍ×横８ｃｍ）を用いた。この場合、鉱石粉末は、シート底面積１ｃｍ２当たり、０．０２５ｇの収容量である。
治療具の上に、ＥＣＯ−ＨＯＬＩＳＴＩＣ  ＩＮＣ製の計測器「イオンテスター」を置き、マイナスイオンを測定すると、検出表示が安定する２０秒後に５，０００個／ｃｍ３のマイナスイオンが検出された。また、放射線量は、Ｔｈ系２２８  Ａｃで平均９２ベクレル／ｇ、Ｕ系２１４  Ｂｉで平均１１ベクレル／ｇであった。
この治療具をシャツの下から背中の中央部に差し入れると、紐で固定しなくともシートはすぐに肌に定着した。この状態でパソコンによるデータ入力作業を行った。３時間後には、肩から背中にかけて軽くなり、５時間後には肩こりが解消した。その後、３０分間散歩したが、治療具のずれはなかった。【００７７】（比較例１）
トルマリン鉱石（平均粒径３ｍｍ）の粒子を粘着シート（直径３ｃｍ）の上に載せ、比較用のマイナスイオン発生治療具を３セット作製した。
治療具の上に、ＥＣＯ−ＨＯＬＩＳＴＩＣ  ＩＮＣ製の計測器「イオンテスター」を置き、マイナスイオンを測定すると、検出表示が安定する２０秒後に１０個／ｃｍ３のマイナスイオンが検出された。
この治療具を背中の中央部、不快な症状がある部分を取り囲むように貼着し、この状態でパソコンによるデータ入力作業を行った。６時間たっても背中の症状は軽くならず、肩こりも解消しなかった。【００７８】（比較例２）
モナズ石の鉱石Ｂ（平均粒径０．４ｍｍ）の粒子を１ｇ用意し、その周囲をワックスで被覆し厚さが５ｍｍになるよう固めて、実施例１と同じプラスチック製シート袋（Ｌ−ＬＤＰＥとＰＥＴとをラミネートしてなる袋）に装入し、開口部を熱融着して、密封し、比較用のマイナスイオン発生治療具を作製した。
治療具の上に、ＥＣＯ−ＨＯＬＩＳＴＩＣ  ＩＮＣ製の計測器「イオンテスター」を置き、マイナスイオンを測定すると、検出表示が安定する２０秒後に１，８００個／ｃｍ３のマイナスイオンが検出された。放射線量は、Ｔｈ系２２８  Ａｃで平均７０ベクレル／ｇ、Ｕ系２１４  Ｂｉで平均３ベクレル／ｇであった。
この治療具を実施例１と同様にして、シャツの下から背中の中央部に入れ、この状態でパソコンによるデータ入力作業を行った。５時間後に背中の一部が軽くなったが、シートが重く感じ違和感を覚えた。作業中に、治療具の位置が下方に１０ｃｍほどずれたので、位置の修正が必要になった。【００７９】（実施例２）
モナズ石の鉱石粉末（平均粒径０．３μｍ）を１ｇ計量し、プラスチック製シート袋（Ｌ−ＬＤＰＥとＰＥＴとをラミネートしてなる袋）に装入し、内部に空気が実質的に残らないようにした後、開口部を熱融着して、密封し、本発明の治療具を３セット作製した。プラスチック製シート袋として、厚さ８μｍのＰＥＴとＬ−ＬＤＰＥとをラミネートした袋（一辺４ｃｍの正方形）を用いた。この場合、鉱石粉末は、シート底面積１ｃｍ２当たり、０．０６２５ｇの収容量になる。
治療具の上に、ＥＣＯ−ＨＯＬＩＳＴＩＣ  ＩＮＣ製の計測器「イオンテスター」を置き、マイナスイオンを測定すると、検出表示が安定する２０秒後に６，０００個／ｃｍ３のマイナスイオンが検出された。放射線量は、Ｔｈ系２２８  Ａｃで平均９３ベクレル／ｇ、Ｕ系２１４  Ｂｉで平均１２ベクレル／ｇであった。
この治療具３セットを靴下（ハイソックス）の中（土踏まずと、脹脛の左右に各１セット）に入れた。当初は両足とも筋肉痛であったが、治療具を入れたほうの足だけが５時間後に、ほとんど痛みが解消していた。
【図面の簡単な説明】
【００８０】
【図１】本発明のシート型治療具の平面図である。
【図２】図１に示した治療具の縦断面図である。
【符号の説明】
【００８１】１  シート型治療具
２  シート袋
３  鉱石粉末
４  開口部
【図１】
2005305056.tif 000002
【図２】
2005305056.tif 000003